(57)【要約】【課題】  少なくともひとつの辺長が５００ｍｍを超える矩形のペリクルを安全、確実かつ容易にハンドリングできるペリクルハンドリング治具を提供する。【解決手段】  ペリクルフレームの一対の辺の外側面に沿って配置される２本の腕部を有し、該２本の各腕部はその一端で連結部に接続され、該連結部には操作部が設けられ、該２本の各腕部上には少なくとも２箇のペリクルフレーム把持手段が、任意の位置に移動ならびに固定可能な移動手段に搭載されていることを特徴とし、前記ペリクルフレーム把持手段の先端はピン形状または爪形状を有し、該先端をペリクルフレームの外側面に設けられた凹み部または溝部に挿入してペリクルの把持を行う。【選択図】  図１
2012103638.tif 000002
【特許請求の範囲】
【請求項１】
ペリクルフレームの一対の辺の外側面に沿って配置される２本の腕部を有し、該２本の各腕部はその一端で連結部に接続され、該連結部には操作部が設けられ、該２本の各腕部上には少なくとも２箇のペリクルフレーム把持手段が、任意の位置に移動ならびに固定可能な移動手段に搭載されていることを特徴とするペリクルハンドリング治具。
【請求項２】
前記ペリクルフレーム把持手段の先端はピン形状を有し、該先端をペリクルフレームの外側面に設けられた凹み部に挿入してペリクルの把持を行う請求項1に記載のペリクルハンドリング治具。
【請求項３】
前記ペリクルフレーム把持手段の先端は爪形状を有し、該先端をペリクルフレームの外側面に設けられた溝部に挿入してペリクルの把持を行う請求項1に記載のペリクルハンドリング治具。
【請求項４】
ペリクル収納容器上に水平かつペリクルに接触しない状態でハンドリング治具を載置することができるように、前記腕部に複数の脚部を設けてなり、前記把持手段の先端がペリクルフレーム外側面に設けられた凹み部または溝部と同じ高さとなるように、該脚部の高さが設定されている請求項１乃至３の何れか１項に記載のペリクルハンドリング治具。
【発明の詳細な説明】
【技術分野】
【０００１】
本発明は、半導体デバイス、プリント基板あるいは液晶ディスプレイ等を製造する際のゴミよけとして使用されるリソグラフィー用ペリクルに係り、特にはペリクルの移動、搬送に好適なペリクルハンドリング治具（以下、単に「ハンドリング治具」と称する。）に関する。
【背景技術】
【０００２】
ＬＳＩなどの半導体デバイスあるいは液晶ディスプレイなどの製造においては、半導体ウエハーあるいは液晶用ガラス原板に光を照射してパターンを製作するが、このときに用いるフォトマスクあるいはレチクル（以下、単に「フォトマスク」と称する）にゴミが付着していると、このゴミが光を遮ったり、屈折させたりするために、転写したパターンが損なわれるという問題があった。
【０００３】
このため、これらの作業は通常クリーンルーム内で行われるが、それでもフォトマスクを常に清浄に保つことは難しい。そこで、フォトマスク表面にゴミよけとして、ペリクルを貼付する方法が採られている。この場合、異物はフォトマスクの表面上には直接付着せず、ペリクル上に付着するため、リソグラフィー時に焦点をフォトマスクのパターン上に合わせておけば、ペリクル上の異物は転写に無関係となる。
【０００４】
このペリクルには、通常光を良く透過させるニトロセルロース、酢酸セルロースあるいはフッ素系樹脂などからなる透明なペリクル膜が、アルミニウム、ステンレス、ポリエチレンなどからなるペリクルフレームの上端面にペリクル膜の良溶媒を塗布し風乾して接着するか、アクリル樹脂やエポキシ樹脂等の接着剤で接着されている。さらに、ペリクルフレームの下端には、フォトマスクに装着するためのポリブデン樹脂、ポリ酢酸ビニル樹脂、アクリル樹脂等からなる粘着層、及び粘着層の保護を目的とした離型層(セパレータ)が設けられる。
【０００５】
また、ペリクルをフォトマスクに貼り付けた状態において、ペリクル内部に囲まれた空間と外部との気圧差をなくすことを目的として、ペリクルフレームの一部に気圧調整用の小孔が開けられることもある。なお、この小孔を通じて移動する空気からの異物侵入を防ぐため、小孔にはフィルターが設置される。
【０００６】
ペリクルの製造工程中に、あるいは使用前に異物検査を行う必要があるが、その際、ペリクルの取り扱いには、異物を付着させないように最新の注意を要する。直接、手で掴んで取り出すと、異物を付着させる、ペリクル膜に傷をつける、あるいは落下させるなどの危険がある。
【０００７】
そのため、一般的には、図８あるいは図９に示すようなハンドリング治具が用いられる。
図８に示すハンドリング治具８８は、ハンドル部８４の前部左右に腕部８１を有し、作業者がハンドル部８４を把持して操作ノブ８３を操作することにより、左右の腕部８１が開閉する機構となっている。左右の腕部８１にはそれぞれピン状把持部８２が設けられ、ペリクルフレーム８５の外側面に設けられた４箇所の凹み部８６にピン状把持部８２を挿入することでペリクルが把持される。なお、符号８７はペリクル膜である。
【０００８】
図９に示すハンドリング治具９８は、ハンドル部９４の前端左右に腕部９１を有し、腕部９１の内側には薄板状把持部９２が設けられ、作業者はハンドル部９４を両手で把持して、ペリクルフレーム９５の外側面に設けられた溝９６に薄板状把持部９２を挿入して保持する例である。さらに、ペリクルフレーム９５は下方から支持部９３で支えられている。
従来のハンドリング治具としては、例えば、特許文献１において、位置合わせを容易に行い、被ハンドリング体への異物落下を防止するために、フォトマスク用基板の主表面に対してグリップの中心軸が所定の距離Ｈだけ離れた状態で平行となるようにグリップを設けたハンドリング治具が開示されている。
【先行技術文献】
【特許文献】
【０００９】
【特許文献１】特開２００６−１０８１５４号公報
【発明の概要】
【発明が解決しようとする課題】
【００１０】
近年、液晶ディスプレイの大型化に伴うフォトマスクの大型化により、ペリクルも著しく大型化してきている。当然、ペリクルを取り扱うためのハンドリング治具も大型になるが、その場合、次に述べるような問題点がある。
図８に示す例の場合、ペリクルフレーム外側面の凹み部８６にピン状把持部８２を正確に位置合わせしなければならないが、作業者側から遠い側の凹み部８６は、作業者の視界に入らないため、挿入するのが極めて困難である。そのため、図８のような方式のハンドリング治具は、比較的サイズの小さいペリクル向けに使用されることが多い。
【００１１】
また、図９に示す例の場合は、ペリクルフレーム９５の外側面に沿って連続した溝９６が設けられているため、薄板状把持部９２の先端さえ溝９６に挿入することができれば、後は、溝９６内を滑らせながら薄板状把持部９２を挿入していくことができる。そのため、図９に示す方式は大型のものに使用されることが多い。
しかし、この方式であっても、例えば、辺長が５００ｍｍを超えるような大型のペリクルに使用する場合、ペリクルフレームの角部にある溝９６の始端は、左右同時には作業者の視界に入らないため、薄板状把持部９２を左右の溝９６に同時に挿入するのは極めて難しい。
【００１２】
そのため、ペリクルフレーム９５の上面やペリクル膜９７など、溝９６以外の部分に薄板状把持部９２の先端が誤って接触し、損傷を与えてしまうことがあった。さらに、溝９６に薄板状把持部９２の先端が挿入された後は、溝９６と平行に、ずれることなく薄板状把持部９２を挿入していかなくてはならないが、ハンドリング治具９８自体が大型になると、この操作を正確に行うことは難しい。そのため、薄板状把持部９２は、溝９６に擦れながら、ジグザグに引っ掛かりながら挿入されることが多い。その結果、薄板状把持部９２と溝９６との間で無用の擦れが生じ、多くの発塵を生じていた。
これらの理由から、大型のペリクルであっても容易に把持でき、かつ安全に取り扱うことのできるハンドリング治具が望まれてきた。
【００１３】
本発明の目的は、少なくともひとつの辺長が５００ｍｍを超える矩形のペリクルを安全、確実かつ容易にハンドリングできるペリクルハンドリング治具を提供することにある。
【課題を解決するための手段】
【００１４】
本発明は、上記問題に鑑みてなされたものであり、本発明のハンドリング治具は、ペリクルフレームの一対の辺の外側面に沿って配置される２本の腕部を有し、該２本の各腕部はその一端で連結部に接続され、該連結部には操作部が設けられ、該２本の各腕部上には少なくとも２箇のペリクルフレーム把持手段（以下、単に「把持手段」と称する。）が、任意の位置に移動ならびに固定可能な移動手段に搭載されていることを特徴としている。
【００１５】
前記把持手段の先端をピン形状とし、該先端をペリクルフレームの外側面に設けられた凹み部に挿入してペリクルの把持を行うのが好ましい。また、前記把持手段の先端を爪状として、ペリクルフレームの外側面に設けられた溝部に挿入することでペリクルの把持を行うようにしてもよい。
【００１６】
また、前記腕部に複数の脚部を設けて、ペリクル収納容器上に水平かつペリクルに接触しない状態でハンドリング治具を載置することができ、前記把持手段の先端がペリクルフレーム外側面に設けられた凹み部または溝部と同じ高さとなるように脚部の高さを設定するのが好ましい。
【発明の効果】
【００１７】
上記のとおり、本発明のハンドリング治具は、ペリクルフレームを把持する把持手段を個別に独立して操作可能な移動手段上に配置したことにより、作業者からペリクルの被把持部が視認できないような辺長が５００ｍｍを超えるような大型のペリクルであっても容易に把持することができ、かつペリクルフレーム外側面の凹み部や溝部に把持手段の先端部を挿入、嵌合させて把持することにより、確実にペリクルを把持することができる。さらに、ペリクルを把持する前に、ハンドリング治具を一旦ペリクル収納容器本体上に載置してから、ペリクルの把持作業を行うことができるため、ハンドリング治具の操作ミスによるペリクルの損傷が防止される。
【図面の簡単な説明】
【００１８】
【図１】本発明のハンドリング治具をペリクルに取り付けた状態を示す概略平面図である。
【図２】図１に示したペリクルの正面図である。
【図３】図１に示したペリクルの右側面図である。
【図４】本発明の一実施形態である把持手段の概略を示す部分縦断面図である。
【図５】本発明の一実施形態である把持手段の概略を示す部分縦断面図である。
【図６】本発明のハンドリング治具を用いて、収納容器上に載置されたペリクルを把持した状態を示す概略平面図である。
【図７】図６のＣＣ線に沿った断面図である。
【図８】従来技術によるハンドリング治具の例を示す概略平面図である。
【図９】従来技術によるハンドリング治具の例を示す概略平面図である。
【発明を実施するための形態】
【００１９】
以下、本発明の実施の形態を図を用いて詳細に説明するが、本発明はこれらに限定されず、様々な態様が可能である。
図１は矩形のペリクルに対して、本発明のハンドリング治具を取り付けた状態を示す概略平面図であり、図２はその正面図、図３は右側面図である。
ペリクル１４は、ペリクルフレーム１１の上端面にペリクル膜接着剤を介してペリクル膜１２が接着され、下端面にはマスク粘着剤１３ならびにマスク粘着剤１３を保護するセパレータ（図示しない）が設けられている。
【００２０】
ハンドリング治具２２は、ペリクルフレーム１１の短辺側の外側に配置された左右の腕部１５が連結部２０の端部にそれぞれ結合され、連結部２０には、作業者が把持・操作するためのハンドル部１６と、ペリクルフレームを下方から支える支持部１９が取り付けられている。左右の腕部１５上には、各２台の移動手段１７が腕部１５上を直線移動自在に取り付けられ、さらに、移動手段１７には把持手段１８が取り付けられている。なお、腕部１５と連結部２０の下面側には脚部２１が設けられている。
【００２１】
腕部１５や操作部１６は、軽量かつ高い剛性が求められるため、金属製、特にはアルミニウム合金あるいはマグネシウム合金といった軽合金製とするのが好ましい。また、軽量化対策として、内部を中空構造としても良い。腕部１５は、対象とするペリクルフレームに合わせて設計されるが、このとき、左右の腕部の平行度が維持されるように設計上考慮する必要がある。ペリクルが大型になるほど、腕部１５の根元付近での僅かな傾きでも、先端では大きな位置ずれにつながるため、特に配慮が必要である。
腕部１５の長さは、対象とするペリクルの大きさに応じて適宜設計すれば良いが、少なくとも把持対象のフレーム辺の１／３の長さが必要で、辺長が１０００ｍｍを超えるような特に大型のペリクルに対しては、フレームの変形防止、脱落防止の観点からフレーム辺の１／２以上の長さとするのが望ましい。
【００２２】
移動手段１７は、市販されている直動ステージなどから、移動可能量、耐荷重性などを考慮して適宜選定すれば良い。なお、可動部材であることから、発塵を完全に防ぐことはできないが、できるだけ発塵量の少ないもの、油脂類の使用量が少ないものを選択すると良い。また、任意の位置でステージを固定でき、また、固定してなくとも操作部を操作しなければステージが移動しない構造とすることも重要である。
【００２３】
図４，５は、移動手段１７に取り付けられる把持手段１８の概略を示す部分縦断面図である。
図４において、把持手段１８の先端はピン形状を有しており、ペリクルフレーム４１の外側面に設けられた凹み部４２にピン部４３を挿入、嵌合してペリクルを把持する。通常、凹み部４２の深さ方向は加工精度を出しにくいため、この例では、把持手段１８先端のピン部４３に段差部４４を設けて、ペリクルフレーム４１の外面でピン部４３の挿入深さの位置決めを行っている。また、凹み部４２やピン部４３は、挿入しやすいよう互いにテーパを付けるなどの工夫も良い。
【００２４】
把持手段１８は、直接ペリクルに接触するものであるため、接触の際にペリクルフレームに傷等を発生させず、発塵も少ない材質を選択することが望まれる。そのような材質としては樹脂が好適であり、ポリエーテルエーテルケトン（ＰＥＥＫ）、ポリアセタール（ＰＯＭ）、ポリアミド（ＰＡ）、ポリイミド（ＰＩ）、ポリテトラフルオロエチレン（ＰＴＦＥ）などが挙げられるが、その中でもポリエーテルエーテルケトン（ＰＥＥＫ）が特に好ましい。さらには、帯電防止性能を付与したものであれば、なお好ましい。
【００２５】
図５に示す把持手段１８は、ペリクルフレーム５１の外側面に設けられた溝５２に、把持手段１８の先端に設けられた爪部５３を溝５２に嵌合させて把持するものである。この爪部５３は、溝５２に対して適切な間隙、例えば、０．１〜０．４ｍｍ程度のクリアランスを有する厚さとし、できるだけ挿入時の引っかかりや発塵を防止する観点から、角部は面取りまたはＲ面取りを行うことが特に好ましい。また、溝５２の方にも、挿入を容易とする面取り等の考慮がしてあればさらに好ましい。
材質は、図４の把持手段１８と同様に樹脂が好適であり、ポリエーテルエーテルケトン（ＰＥＥＫ）、ポリアセタール（ＰＯＭ）、ポリアミド（ＰＡ）、ポリイミド（ＰＩ）、ポリテトラフルオロエチレン（ＰＴＦＥ）などが挙げられるが、その中でも、ポリエーテルエーテルケトン（ＰＥＥＫ）が特に好ましい。さらには、帯電防止性能を付与したものであれば、なお好ましい。
【００２６】
なお、把持手段１８の形状として、図４，５において、先端にピン部４３や爪部５３を有するものを挙げて説明したが、把持手段１８の形状は、対象とするペリクルのどの部分を把持するかによって、適宜設計する必要がある。
移動手段１７ならびに把持手段１８は、各腕部について少なくとも２箇所に設けると良いが、対象とするペリクルの大きさによっては、適宜追加して、３箇所、あるいは４箇所に設けても良い。
【００２７】
本発明では、従来のハンドリング治具本体に固定されていたこれらの把持手段１８を、個別に設けた移動手段１７上に搭載し、把持手段１８の位置を個別にかつ腕部１５上の任意の位置に調整できるようにしているため、複数の把持手段１８の位置合わせを同時に行う困難さを解消している。ハンドリング治具２２は、把持手段１８をペリクルに接触しない位置まで退避させた状態でペリクル収納容器上に載置した後、個別に移動手段１７を操作してペリクルフレーム１１に設けられた溝部あるいは凹み部に把持手段１８の先端を挿入すれば良い。
【００２８】
また、支持部１９は、ペリクルフレーム１１の下方からペリクルを支持する役割があるため、前記把持手段と同様、ペリクルフレームに傷などを生じさせず、発塵も少ない材質を選択すると良い。具体的には、ポリエーテルエーテルケトン（ＰＥＥＫ）、ポリアセタール（ＰＯＭ）、ポリアミド（ＰＡ）、ポリイミド（ＰＩ）、ポリテトラフルオロエチレン（ＰＴＦＥ）などが挙げられるが、その中でも、ポリエーテルエーテルケトン（ＰＥＥＫ）が特に好ましい。さらには、帯電防止性能を付与したものであれば、さらに好ましい。さらに、形状についても、発塵が少なく、また、仮に削られた場合にもペリクルフレームに付着物を生じたりすることがないよう、接触面積を少なくし、さらに角部の少ない、例えばＲ形状などにしておくと良い。
【００２９】
腕部に搭載されるこれらの装備全体をハンドリングするためのハンドル部（操作部）１６は、必要な剛性を確保した上で、金属、あるいは樹脂で製作すると良く、特には、帯電防止性能を持たせると良い。形状は、丸棒などの作業者が操作しやすい形状となっていれば良い。このハンドル部を、別に用意したスタンド（図示しない）に挿入して立てれば、垂直状態でハンドリング治具に把持したペリクルを保持することができ、ペリクルの検査等を容易に行うことができる。
【００３０】
次に、本発明のハンドリング治具を用いてペリクル収納容器上に載置されたペリクルを取り出す動作について説明する。
図６は、本発明のハンドリング治具を用いて、収納容器上に載置されたペリクルを把持した状態を示す概略平面図であり、図７は、図６のＣＣ線に沿った断面図である。この例では、ペリクルフレームの外側面に設けられた溝に挿入される把持手段１８の先端を爪状としている。
【００３１】
初めに、ハンドリング治具２２を、ペリクル６２に接触しないように注意してペリクル収納容器本体６１上に載置する。このとき、予め移動手段１７を操作して把持手段１８をペリクルの外方へ十分に退避させておくことで、容易に載置することができる。支持部１９は、連結部２０に直接取り付けられているため退避させることはできないが、作業者から十分に視認できる位置にあるため、ペリクル６２に接触させずに容易にペリクル６２の下側に挿入することができる。
また、図７から明らかなように、連結部２０および腕部１５の下面側に設けられた複数の脚部２１は、ハンドリング治具２２の全体が水平になるように、かつ載置した際に把持手段１８がペリクル６２の溝部と同じ高さになるように調整されている。
【００３２】
次に、ペリクル収納容器６１上に載置されたハンドリング治具２２の全体を水平に滑らせて挿入し、支持部１９をペリクル６２の手前の辺に接触させる。そして、移動手段１７を操作して把持手段１８をペリクルに向かって前進させ、把持手段１８の爪部５３（図５参照）をペリクル６２の溝部５２に挿入する。これを左右両辺４箇所の爪部５３全てについて行えば、ペリクルの把持が完了する。そして、ハンドリング治具２２のハンドル部１６を掴んで持ち上げれば、ペリクル収納容器からのペリクルの取出しが完了する。
【００３３】
本発明では、ペリクルの取出し作業が、ハンドリング治具をペリクル収納容器上に載置する工程と、ペリクルを把持する工程の２段階に分けて動作が行われるため、ハンドリング治具がペリクルに接触して損傷を与える恐れが大幅に低減する。また、ハンドリング治具をペリクル収納容器上に載置した状態で、把持手段１８を１箇所ずつ個別に操作すれば良いため、作業が著しく容易となるうえ、ペリクルフレームの被把持部に試行錯誤することなく、ほぼ１回で確実に挿入できるため、ペリクルフレームとの繰り返し接触による無用の発塵を防止できる。
【実施例】
【００３４】
以下、実施例を挙げて説明するが、本発明はこれらに限定されず様々な態様が可能である。
図１〜３に示すハンドリング治具を製作した。図中、被ハンドリング対象のペリクル１４は長辺の長さ１３６６ｍｍ、短辺の長さ１１４６ｍｍで、短辺の外側部には幅２ｍｍ、深さ２ｍｍの溝を設けた。
ハンドリング治具２２の腕部１５はペリクル１４の短辺と平行に配置され、その長さは８００ｍｍとした。材質はアルミニウム合金からなり、表面には黒色アルマイト処理が施されている。左右の腕部１５上には各２箇所ずつ、合計４箇所の移動手段１７（アリ式ステージ；商品名、駿河精機製）を取り付けた。さらに移動手段１７に把持手段１８を設けたが、その先端は帯電防止ＰＥＥＫを機械加工して爪形状とした。
【００３５】
この爪部の詳細形状は図５に示した通りで、先端の爪厚さは１．８ｍｍ、Ｃ０．５の面取りを施した。ハンドル部１６は、アルミニウム合金製の直径２５ｍｍの丸棒を６００ｍｍの間隔で連結部２０にボルト締結した。また、腕部１５および連結部２０の下面側にはＰＥＥＫ製の脚部２１を合計８箇所に取り付けた。
【００３６】
このように構成したハンドリング治具を用いて、図６に示すように、ペリクル収納容器６１上からペリクル６２を取り出すテストを行った。
初めに、４つの把持手段１８全てを最大限後退させておき、注意深くペリクル収納容器６１上にハンドリング治具２２を載置した。そして、支持部１９がペリクル６２に接触する位置までハンドリング治具を水平に動かした。次いで、移動手段１７を操作して把持手段１８先端の爪部５３をペリクルフレーム５１の溝部５２へ挿入し、順次操作して４箇所全ての把持手段１８を溝部５２に挿入固定した。
【００３７】
その後、ハンドル部１６を両手で持ち上げ、ペリクル６２を立て、傾けたり、ゆすったりしてみた。ペリクル６２は、ハンドリング治具２２上で安定して固定されており、がたつきもなく安定して保持されていた。また、暗室内で集光ランプ（光量４０万Ｌｘ）を照射しながらこのペリクルの外観を検査したが、溝内のキズ、異物は見られず清浄な状態であった。
【比較例】
【００３８】
図９に示すようなハンドリング治具９８を製作した。このハンドリング治具９８の腕部９１には、腕部９１全体に渡って薄板状把持部９２が設けられ、ペリクルフレーム９５の外側面に設けられた溝９６に嵌合するようになっている。ここで、左右の両把持部９２間の内寸は、溝９６への挿入し易さを考慮して左右の両溝９６底部間の外寸に対して片側０．３ｍｍの間隙（クリアランス）を設け、また薄板状把持部９２の厚さも溝高に対して０．５ｍｍ薄くした。薄板状把持部９２は腕部９１と一体的に加工され、ステンレス鋼を用いて黒色クロームメッキが施されている。
このハンドリング治具を用いて上記実施例と同じペリクルに対して、ペリクル収納容器からの取り出しテストを行った。
【００３９】
その結果、ペリクルフレームの溝９６に、薄板状把持部９２をなかなか挿入することができずに、ひどく苦労した。また、取り出した後、ペリクルを垂直に立て、傾けたり、ゆすったりしてみたところ、ペリクルフレームの溝と把持部との間にクリアランスがあるため、がたつきが大きく、脱落はしないものの非常に危険な状態であった。さらに、暗室内にて集光ランプ（光量４０万Ｌｘ）によるペリクルの外観を確認したところ、把持部９２の挿入されたペリクルフレームの溝付近には５０μｍ超の異物が数十個見られ、さらには、溝への挿入口付近のペリクルフレーム外面にはキズも発生していた。
【符号の説明】
【００４０】
１１，４１，５１，８５，９５・・・ペリクルフレーム
１２，８７，９７・・・ペリクル膜
１３・・・マスク粘着剤層
１４，６２・・・ペリクル
１５，８１，９１・・・腕部
１６，８４，９４・・・ハンドル部（操作部）
１７・・・移動手段
１８・・・把持手段
１９，９３・・・支持部
２０・・・連結部
２１・・・脚部
２２，８８，９８・・・ハンドリング治具
４２，８６・・・凹み部
４３・・・ピン部
４４・・・段差部
５２・・・溝部
５３・・・爪部
６１・・・ペリクル収納容器
８２・・・ピン状把持部
８３・・・操作ノブ
９２・・・薄板状把持部
９６・・・溝
【図１】
2012103638.tif 000003
【図２】
2012103638.tif 000004
【図３】
2012103638.tif 000005
【図４】
2012103638.tif 000006
【図５】
2012103638.tif 000007
【図６】
2012103638.tif 000008
【図７】
2012103638.tif 000009
【図８】
2012103638.tif 000010
【図９】
2012103638.tif 000011